(57)【要約】【課題】磁石の動きやそれによる遊技球の動作を遊技者が容易に認識することができ、磁石を用いた演出の面白さを十分に引き出すことが可能な弾球遊技機を提供する。【解決手段】遊技球を誘導開始位置からその下流側の誘導目標位置まで誘導可能な誘導状態と誘導不可能な非誘導状態とに切り換え可能な誘導部材１４２を備えた弾球遊技機で、誘導部材１４２は、誘導開始位置と誘導目標位置との間に配置される縦壁面１８１ａと、その縦壁面１８１ａに略面一状に設けられた細長状の磁石面１４１ａとを備え、磁石面１４１ａは、その長手方向に対する上縁側がＮ極又はＳ極、下縁側がＳ極又はＮ極となるように磁極が配置されており、誘導状態のとき、磁石面１４１ａが誘導開始位置又はその近傍と誘導目標位置又はその近傍とを接続するように構成されているものである。【選択図】図１５
2009066352.tif 000002
【特許請求の範囲】
【請求項１】
遊技球を誘導開始位置からその下流側の誘導目標位置まで誘導可能な誘導状態と誘導不可能な非誘導状態とに切り換え可能な誘導部材（１４２）を備えた弾球遊技機において、前記誘導部材（１４２）は、前記誘導開始位置と前記誘導目標位置との間に配置される縦壁面（１８１ａ）と、その縦壁面（１８１ａ）に略面一状に設けられた細長状の磁石面（１４１ａ）とを備え、前記磁石面（１４１ａ）は、その長手方向に対する上縁側がＮ極又はＳ極、下縁側がＳ極又はＮ極となるように磁極が配置されており、前記誘導状態のとき、前記磁石面（１４１ａ）が前記誘導開始位置又はその近傍と前記誘導目標位置又はその近傍とを接続するように構成されていることを特徴とする弾球遊技機。
【請求項２】
前記磁石面（１４１ａ）は、前記誘導開始位置側よりも前記誘導目標位置側が低い傾斜状に配置されていることを特徴とする請求項１に記載の弾球遊技機。
【請求項３】
前記誘導目標位置は、特別領域（１２２ａ）側に遊技球を案内する特別案内テーブル（１２１ａ）上に設けられ、前記誘導開始位置と前記誘導目標位置との間には、前記特別領域（１２２ａ）以外の通常領域（１２２ｂ）側に遊技球を案内する通常案内テーブル（１２１ｂ）が配置されており、前記誘導部材（１４２）は、前記縦壁面（１８１ａ）が前記通常案内テーブル（１２１ｂ）の上流側縁部に沿うように配置されると共に、前記非誘導状態のときには下向きに移動して前記磁石面（１４１ａ）が前記通常案内テーブル（１２１ｂ）の下側に待避するように構成されていることを特徴とする請求項１又は２に記載の弾球遊技機。
【請求項４】
前記特別案内テーブル（１２１ａ）は前記特別領域（１２２ａ）側が低い傾斜状に形成され、前記特別案内テーブル（１２１ａ）上に流下した遊技球を、磁力により前記特別領域（１２２ａ）の上流側に対応する特別案内位置（Ａ）に誘引する誘引状態と誘引しない非誘引状態とに切り換え可能な誘引手段（１２５）を備えたことを特徴とする請求項３に記載の弾球遊技機。
【請求項５】
前記誘引手段（１２５）は、前記特別案内位置（Ａ）に対応して前記特別案内テーブル（１２１ａ）の下側に配置され且つ前記特別案内テーブル（１２１ａ）の傾斜方向に対してその左右両側がＮ極及びＳ極となるように磁極が配置された磁石（１９１）を備え、前記誘引状態のときに前記磁石（１９１）が前記特別案内テーブル（１２１ａ）の下側に接近し、前記非誘引状態の時に前記磁石（１９１）が前記特別案内テーブル（１２１ａ）の下方に離間するように構成されていることを特徴とする請求項４に記載の弾球遊技機。
【請求項６】
所定の入球口（３４）に入球した遊技球を前記誘導開始位置に案内する第１案内通路（５５）と、前記入球口（３４）に入球した遊技球を前記特別案内テーブル（１２１ａ）に案内する第２案内通路（５６）と、前記入球口（３４）に入球した遊技球を前記第１案内通路（５５）側と前記第２案内通路（５６）側とに振り分ける振り分け手段（６４）とを備えたことを特徴とする請求項１〜５の何れかに記載の弾球遊技機。
【発明の詳細な説明】
【技術分野】
【０００１】
本発明は、パチンコ機等の弾球遊技機に係り、詳しくは、遊技球を所定の流出口からその下流側の所定位置まで誘導可能な誘導状態と誘導不可能な非誘導状態とに切り換え可能な誘導部材を備えた弾球遊技機に関するものである。
【背景技術】
【０００２】
パチンコ機に代表される弾球遊技機では、遊技領域の略中央にセンターケースを配置し、そのセンターケースに演出用の液晶ディスプレイを装着したものが多い。ところで、この種の弾球遊技機に用いられる液晶ディスプレイは大画面化の一途を辿っているが、液晶ディスプレイの前側には遊技釘等を配置できないため、遊技領域内であっても液晶ディスプレイの前側の範囲については遊技球の可動領域として用いることは難しい。即ち、パチンコ機等の弾球遊技機においては、液晶ディスプレイの大画面化に伴い、遊技領域に占める遊技球の可動領域の割合が徐々に小さくなり、遊技球の動きが画一化されて意外性に乏しくなっているのが実情である。
【０００３】
そこで、そのような限られた可動領域の中で少しでも遊技球の動きを多様化させるべく、例えばセンターケースの下部側にステージを設け、遊技球をこのステージ上で左右方向に転動させつつ、センターケースの下側に配置された電動チューリップ等に誘導するように構成された弾球遊技機が主流となってきている。
【０００４】
また、この種の弾球遊技機の中には、ステージ上で遊技球を自由に転動させるだけでなく、磁石等を用いて遊技球の動きをより多様化させようとするものも存在する。例えば、特許文献１に記載されたパチンコ機では、垂直壁の前面側に、左右方向の一方側から他方側に向けて緩やかな傾斜状に配置された突条を設け、またその垂直壁の裏側に磁石を近接／隔離可能に配置して、遊技球に作用する左右方向の慣性力、磁石による後ろ向きの吸引力、及び突条による上向きの支持力により遊技球を垂直壁に沿って誘導し、磁石が垂直壁の後方に離間して後ろ向きの吸引力が途絶えたとき、遊技球は垂直壁の前側に落下するように構成されている。
【特許文献１】特開２００４−４９７３２号公報
【発明の開示】
【発明が解決しようとする課題】
【０００５】
特許文献１に記載のパチンコ機では、遊技球を突条により上向きに支持しており、しかも磁石は垂直壁の裏側に配置されているため遊技者がその動きを認識することができず、磁石を用いた演出であるにも拘わらずその面白さを十分に引き出すことができないという問題があった。
【０００６】
本発明は、上記事情に鑑みてなされたものであり、その目的とするところは、磁石の動きやそれによる遊技球の動作を遊技者が容易に認識することができ、磁石を用いた演出の面白さを十分に引き出すことが可能な弾球遊技機を提供することにある。
【課題を解決するための手段】
【０００７】
本発明は、遊技球を誘導開始位置からその下流側の誘導目標位置まで誘導可能な誘導状態と誘導不可能な非誘導状態とに切り換え可能な誘導部材１４２を備えた弾球遊技機において、前記誘導部材１４２は、前記誘導開始位置と前記誘導目標位置との間に配置される縦壁面１８１ａと、その縦壁面１８１ａに略面一状に設けられた細長状の磁石面１４１ａとを備え、前記磁石面１４１ａは、その長手方向に対する上縁側がＮ極又はＳ極、下縁側がＳ極又はＮ極となるように磁極が配置されており、前記誘導状態のとき、前記磁石面１４１ａが前記誘導開始位置又はその近傍と前記誘導目標位置又はその近傍とを接続するように構成されているものである。
【発明の効果】
【０００８】
本発明によれば、誘導部材１４２に設けられた磁石の動きやそれによる遊技球の動作を遊技者が容易に認識することができ、磁石を用いた演出の面白さを十分に引き出すことが可能となる。
【発明を実施するための最良の形態】
【０００９】
以下、本発明の実施形態を図面に基づいて詳述する。図１〜図２５は本発明をパチンコ機に採用した一実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１０】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、発射手段８に供給するための遊技球を貯留する貯留皿１３、発射手段８を作動させるための発射ハンドル１４等が設けられている。
【００１１】
下部装着部７には、その前側の例えば左右方向略中央に発射手段８が配置され、その発射手段８の左側には、図外の払い出し手段から払い出された遊技球を下部開閉扉１０側の貯留皿１３に排出するための払い出し口１５等が、右側には下部スピーカ１６等が夫々配置されている。
【００１２】
発射手段８は、板金製の支持板１７と、この支持板１７の前面に装着された発射レール１８と、支持板１７の前面に装着され且つ発射用の遊技球を発射レール１８上に保持する球保持部１９と、支持板１７の前面で前後方向の駆動軸２０ａ廻りに揺動自在に支持された打撃槌２０と、支持板１７の裏側に装着され且つ打撃槌２０を駆動軸２０ａを介して打撃方向に駆動するロータリソレノイド等の発射駆動手段２１等を備えている。
【００１３】
上部装着部５には、遊技盤６を装着するための遊技盤装着枠２２が設けられると共に、例えばその上端側には左右一対の上部スピーカ２３が着脱自在に装着されている。遊技盤６は、遊技盤装着枠２２に対して例えば前側から装着され、１又は複数の固定具２４により着脱自在に固定されており、その前面側には、発射手段８により発射された遊技球を遊技領域６ａの上部側に案内する外レール２５と、遊技領域６ａの周囲を規定する周壁の少なくとも一部を構成する内レール２６とが立設されると共に、遊技領域６ａ内には、その略中央にセンターケース２７が配置され、更にそのセンターケース２７の左側に通過ゲート２８が、下側に開閉式入賞手段２９及び大入賞手段３０が配置される他、普通入賞手段３１、風車３２等の各種遊技部品が装着されている。
【００１４】
センターケース２７は、例えば遊技盤６の裏側に装着された液晶式その他の画像表示手段３３（図５〜図７）の表示枠としての機能と、上部側の入球口に入球した遊技球を特別領域と通常領域との何れかに振り分ける振り分け手段としての機能と、その振り分け動作に関連して画像表示手段３３による演出表示と共に演出用可動部材による演出を行う機能とを有するもので、画像表示手段３３の前側に対応して例えば遊技盤６に前側から着脱自在に装着されており、図３〜図８等に示すように、遊技盤６に固定される前面枠４１と、この前面枠４１の後側に装着されるカバー枠４２と、このカバー枠４２の後側に装着される後カバー４３と、例えばカバー枠４２の前後に跨って配置される上部誘導演出手段４４及び下部誘導演出手段４５とを備えている。
【００１５】
前面枠４１は、図３〜図１０に示すように、画像表示手段３３用の表示窓５０が形成された前飾り枠５１と、この前飾り枠５１の上部側に設けられた入球口３４を開閉する上部開閉手段５２と、前飾り枠５１の側部に設けられた入賞口５３を開閉する側部開閉手段５４と、入球口３４に入球した遊技球を下部側へと案内する第１案内通路５５及び第２案内通路５６と、前飾り枠５１の下部側を前側から覆う下部カバー５７とを備えている。
【００１６】
前飾り枠５１は、遊技盤６側に設けられた装着孔６０（図５〜図７）の内側に嵌合する嵌合枠６１と、遊技盤６の前面側に沿って嵌合枠６１の前側に鍔状に一体形成された前面当接板６２と、この前面当接板６２の前側に突出状に設けられた囲い枠６３とを一体に備えている。
【００１７】
囲い枠６３は、表示窓５０内への遊技球の進入を阻止するためのもので、表示窓５０の略全周にわたって設けられており、その上部側の左右方向略中央に入球口３４と上部開閉手段５２とが設けられ、また例えば左側部に入賞口５３と側部開閉手段５４とが設けられている。また、下部カバー５７は、囲い枠６３の下部側に沿ってその内側を前側から覆うように装着されている。
【００１８】
入球口３４は、囲い枠６３に対して下向き開口状に設けられ、その下側に入球検出スイッチ３４ａが設けられており、入球口３４に入球した遊技球は入球検出スイッチ３４ａを通過してその下側に落下するようになっている。なお、入球口３４の下側には、上部誘導演出手段４４を構成する横長状の揺動振り分け部材（振り分け手段）６４が、その長手方向の略中央に配置された前後方向の揺動枢軸６４ａ廻りに揺動自在に配置されており、入球口３４に入球した遊技球はこの揺動振り分け部材６４により第１案内通路５５側と第２案内通路５６側との何れかに案内されるようになっている。
【００１９】
前面当接板６２は、その上部側が入球口３４に対応して上向き突出状に形成されており、ここに上部開閉手段５２が装着されている。上部開閉手段５２は、入球口３４の上側に対応して前面当接板６２の前側に配置され且つその上側に落下した遊技球を左右方向に案内する庇部６５と、この庇部６５と囲い枠６３との間に形成される左右の入球開口部６６を開閉する一対の開閉爪６７と、前面当接板６２の後側に配置され且つ開閉爪６７を開閉駆動する例えば一対の上部開閉駆動手段６８とを備えている。
【００２０】
開閉爪６７は、前後方向の回転軸６７ａ廻りに揺動自在であり、ソレノイド等よりなる上部開閉駆動手段６８によりその回転軸６７ａを介して左右同時に揺動駆動されることにより、入球開口部６６を開放してその上側に落下した遊技球を内部の入球口３４側に案内する開状態と、入球開口部６６を閉鎖してその上側に落下した遊技球の入球口３４への入球を阻止する閉状態とに切換可能となっている。なお、上部開閉駆動手段６８は、図９，図１０に示すように、装着部材６８ａを介して前面当接板６２の後側に着脱自在に装着されており、装着部材６８ａの後側には例えば基板（図示省略）を装着する基板装着板６８ｂが着脱自在に装着されている。また、前飾り枠５１の前側には、入球口３４の前側を覆う入球口カバー６９が着脱自在に装着されている。
【００２１】
入賞口５３は、囲い枠６３の左側部に設けられた入賞開口部７１の内側に下向き開口状に設けられ、その下側に入賞検出スイッチ５３ａが設けられており、入賞開口部７１から入賞口５３に入球した遊技球は入賞検出スイッチ５３ａを通過した後、後ろ向きに設けられた入賞通路７２を介して遊技盤６の裏側に案内されるようになっている。
【００２２】
側部開閉手段５４は、入賞開口部７１を開閉する開閉爪７３と、前面当接板６２の後側に配置され且つ開閉爪７３を開閉駆動する側部開閉駆動手段７４とを備えている。開閉爪７３は、前後方向の回転軸７３ａ廻りに揺動自在であり、ソレノイド等よりなる側部開閉駆動手段７４によりその回転軸７３ａを介して揺動駆動されることにより、入賞開口部７１を開放してその上側に落下した遊技球を内部の入賞口５３側に案内する開状態と、入賞開口部７１を閉鎖してその上側に落下した遊技球の入賞口５３への入賞を阻止する閉状態とに切換可能となっている。なお、側部開閉駆動手段７４は、図１０に示すように、装着部材７４ａを介して前面当接板６２の後側に着脱自在に装着されている。また、前飾り枠５１の前側には、入賞口５３の前側を覆う入賞口カバー７５が着脱自在に装着されている。
【００２３】
第１案内通路５５は、囲い枠６３の内部左側に配置されており、上下方向に配置され且つその上端側に揺動振り分け部材６４により左向きに案内された遊技球を受け入れ可能な例えば右向き開口状の流入口５５ａが設けられた縦通路部８１と、この縦通路部８１の下端側から後ろ向きに配置された傾斜状の横通路部８２と、横通路部８２の後端側から右向きに配置され且つその端部に右向き開口状の流出口５５ｂが設けられた傾斜状の流出通路部８３とを例えば一体に備えている。
【００２４】
第２案内通路５６は、囲い枠６３の内部右側に配置されており、上下方向に配置され且つその上端側に揺動振り分け部材６４により右向きに案内された遊技球を受け入れ可能な例えば左向き開口状の流入口５６ａが設けられた縦通路部８６と、この縦通路部８６の下端側から後ろ向きに配置され且つその端部に下向き開口状の流出口５６ｂが設けられた傾斜状の横通路部８７とを例えば一体に備えている。なお、第２案内通路５６には、例えば縦通路部８６上に遊技球の通過を検出する通過検出スイッチ５６ｃが設けられている。
【００２５】
カバー枠４２は、センターケース２７の内部を前側の遊技球誘導領域と後側の演出可動部材配置領域とに区分するためのもので、図８，図１２等に示すように、前面枠４１側の嵌合枠６１の後側に略対応する枠状に形成された外周枠９１と、この外周枠９１の内側上部を略塞ぐように配置される前向き膨出状の保護カバー９２と、外周枠９１の内側下部を略塞ぐように配置される後ろ向き膨出状の演出手段装着部９３とを一体に備え、例えば前面枠４１側の嵌合枠６１の後側に着脱自在に装着されている。外周枠９１には、例えばその左側部に、入賞口５３に入賞して入賞通路７２により後ろ向きに案内された遊技球を遊技盤６の裏側に沿って側方下部に案内する入賞球案内部９４が一体に設けられている。
【００２６】
保護カバー９２は、図５，図６等に示すように、前面枠４１の表示窓５０に後側から嵌合して例えばその前面側が前面当接板６２と面一となるように形成されており、その前壁９２ａの前側に沿って揺動振り分け部材６４と第１案内通路５５及び第２案内通路５６の縦通路部８１，８６とが、その底壁９２ｂの下側に沿って第１案内通路５５及び第２案内通路５６の横通路部８２，８７が、夫々配置されている。なお、カバー枠４２は、少なくともこの保護カバー９２の部分が透明に形成され、前側から内部を透視可能となっている。
【００２７】
後カバー４３は、図８，図１１等に示すように、カバー枠４２側の外周枠９１の後側に対応する周壁部９５と、この周壁部９５の後端側を略閉鎖する後壁部９６とを一体に備え、例えばカバー枠４２側の外周枠９１の後側に着脱自在に装着されている。なお、図５〜図７に示すように、後カバー４３の後側には画像表示手段３３が配置されており、後壁部９６はこの画像表示手段３３の前側を覆うようになっている。従って、後カバー４３は、少なくとも後壁部９６の部分が透明に形成されており、画像表示手段３３の表示画面は後カバー４３の後壁部９６及びカバー枠４２の保護カバー９２を介して前側から視認可能となっている。
【００２８】
上部誘導演出手段４４は、図４，図８，図１１等に示すように、入球口３４に入球した遊技球を第１案内通路５５側と第２案内通路５６側とに振り分ける揺動振り分け部材６４と、この揺動振り分け部材６４を揺動駆動する揺動駆動手段１０１と、揺動振り分け部材６４の揺動動作と連動して動作する可動手段１０２とを備えている。
【００２９】
揺動振り分け部材６４は、例えば正面視横長矩形状に形成され、その上縁側に沿って遊技球転動可能な転動路１０３が形成されており、その略中心において前後方向の揺動枢軸６４ａ廻りに揺動自在に支持されている。この揺動枢軸６４ａは、保護カバー９２の前壁９２ａから後ろ向きに突設された筒状の軸受部１０４（図１１）内に回転自在に挿通されており、その揺動枢軸６４ａの前端側に保護カバー９２の前側に配置された揺動振り分け部材６４が、後端側に保護カバー９２の後側に配置された駆動連結部材１０５が、夫々固定されている。なお、図面上は省略したが、この振り分け部材６４の前側にはそのパチンコ機のテーマに応じた装飾部材が装着される。
【００３０】
駆動連結部材１０５は、揺動駆動手段１０１の駆動軸１０１ａと、揺動振り分け部材６４及び可動手段１０２とを連動させるためのもので、保護カバー９２の前壁９２ａの背面側に沿って例えば左右方向に配置されており、その一端側、例えば左端側には、揺動枢軸６４ａの後端側が固定されると共にその近傍に例えば後ろ向き突出状の係合部１０５ａが設けられ、他端側、例えば右端側には、可動手段１０２側の連結軸１０６が係合可能な例えば凹入状の係合部１０７が設けられている。
【００３１】
揺動駆動手段１０１は、例えばステッピングモータにより構成されており、その駆動軸１０１ａを揺動枢軸６４ａと同軸となるように後カバー４３の前側に突出させた状態で、例えば後カバー４３の後壁部９６に前向き凹入状に形成されたモータ取付部１０８に後側から着脱自在に固定されている。揺動駆動手段１０１の駆動軸１０１ａには、その先端側に例えば円板状のモータヘッド１０９が固定されており、このモータヘッド１０９の前面側に設けられた被係合部１０９ａに、駆動連結部材１０５側の係合部１０５ａが駆動軸１０１ａ廻りの回転方向に係合している。これにより、揺動駆動手段１０１の駆動軸１０１ａが所定方向に回転すると、その回転力はモータヘッド１０９を介して駆動連結部材１０５に伝えられ、この駆動連結部材１０５と、この駆動連結部材１０５に揺動枢軸６４ａを介して一体に連結されている揺動振り分け部材６４とが揺動枢軸６４ａ廻りに揺動する。
【００３２】
なお、後カバー４３には、揺動駆動手段１０１の近傍に、モータヘッド１０９の周上の所定位置を検出するフォトセンサ１１０（図８）が設けられており、揺動駆動手段１０１はこのフォトセンサ１１０からの検出信号に基づいて駆動制御されるようになっている。
【００３３】
可動手段１０２は、例えば恐竜の身体を模したもので（図面上では恐竜の装飾は省略している）、後カバー４３の前側に着脱自在に装着される本体ケース１１１と、一端側において本体ケース１１１側に例えば前後方向の回転軸１１２廻りに揺動自在に装着され、他端側において駆動連結部材１０５側に連結される第１揺動部材１１３と、本体ケース１１１側に例えば左右方向の回転軸１１４廻りに揺動自在に装着される第２揺動部材１１５と、第１揺動部材１１３の揺動動作と第２揺動部材１１５の揺動動作とを連動させる揺動連動手段１１６とを備えている。
【００３４】
本体ケース１１１は、例えば恐竜の胴体部分にあたるもので、後側が開口する略箱形に形成されており、その後側の開口を後カバー４３の後壁部９６で略塞ぐように後壁部９６の前側に着脱自在に装着されている。本体ケース１１１の例えば上部側には、回転軸１１２が回転自在に挿通される筒状の軸受部１１７が前後方向に設けられている。また本体ケース１１１の下部前側には、第２揺動部材１１５を装着するための凹入部１１８が左右両端側に設けられており、それら一対の凹入部１１８，１１８間に回転軸１１４が回転自在に挿通されている。
【００３５】
第１揺動部材１１３は、例えば恐竜の頭部にあたるもので、その一端側、例えば右端側が回転軸１１２の前端側に固定され、他端側、例えば左端側に連結軸１０６が例えば前向き突出状に固定されてその先端側が駆動連結部材１０５側の係合部１０７に後側から係合している。第２揺動部材１１５は、例えば恐竜の前足にあたるもので、その後端側が本体ケース１１１の左右の凹入部１１８に揺動自在に嵌合され、回転軸１１４の左右両端側に夫々固定されている。
【００３６】
揺動連動手段１１６は、回転軸１１２と回転軸１１４との回転を連動させることにより回転軸１１２に固定された第１揺動部材１１３と回転軸１１４に固定された第２揺動部材１１５の揺動動作を連動させるもので、図４及び図１１に示すように、回転軸１１２側に固定される駆動レバー１１９と、回転軸１１４側に固定される連動板１２０とで構成されている。駆動レバー１１９は、例えば正面視略Ｌ型に形成され、一端側を下側に向けた状態で他端側が回転軸１１２の後端側に固定されており、回転軸１１２の回転に伴って左右に揺動するようになっている。連動板１２０は、回転軸１１４に対して第２揺動部材１１５と反対側、即ち後側に突設され、第２揺動部材１１５の自重によって上向きに付勢されており、その上面側に駆動レバー１１９の下端側が当接してその揺動が規制されている。
【００３７】
以上のように構成された可動手段１０２は、揺動振り分け部材６４の振り分け動作と連動して次のように動作する。即ち、揺動駆動手段１０１が作動して例えば揺動振り分け部材６４が左下がり姿勢から右下がり姿勢まで時計方向に揺動すると（図２０→図１９）、駆動連結部材１０５も同じく時計方向に揺動して右端側が降下する。これにより、可動手段１０２側の第１揺動部材１１３は連結軸１０６を介して左端側が押し下げられ、回転軸１１２と共に半時計方向に揺動し、これによって駆動レバー１１９も同方向に揺動してその下端側が上昇する。そしてそれにより連動板１２０が上向きに揺動し、それと一体に回転軸１１４が回転して第２揺動部材１１５が下向きに揺動する。揺動振り分け部材６４が逆方向に揺動すれば可動手段１０２側の動作も全く逆になる。
【００３８】
このように、恐竜を模した可動手段１０２は、実際には揺動駆動手段１０１による揺動振り分け部材６４の揺動駆動動作に従動して頭部（第１揺動部材１１３）と前足（第２揺動部材１１５）とが動作するが、これにより、遊技者に対しては恐竜が揺動振り分け部材６４を揺らしているように演出することが可能となる。
【００３９】
下部誘導演出手段４５は、図８，図１２等に示すように、例えば前下がりの傾斜状に形成されたステージ板１２１を上部側に備えた演出台１２３と、第１案内通路５５により案内されてきた遊技球をその流出口５５ｂからステージ板１２１上の特別案内テーブル１２１ａまで磁力により誘導可能な誘導手段１２４と、演出台１２３内に設けられ且つ特別案内テーブル１２１ａ上に案内された遊技球を磁力により特別案内位置Ａに誘引可能な誘引手段１２５と、誘導手段１２４の誘導動作と連動して動作する可動手段１２６とを備えている。
【００４０】
演出台１２３は、図１３等に示すように、上面側が開放したケース体１２７と、このケース体１２７の上側の開口部を略塞ぐステージ板１２１とで略箱形に形成されており、更にケース体１２７は前ケース体１２８と後ケース体１２９とが前後に結合されて形成されている。ステージ板１２１は、平面視横長矩形状に形成され、前下がりの緩やかな傾斜状となるようにケース体１２７の上部側に着脱自在に装着されている。また、ステージ板１２１上の左右方向一端側、例えば右端側には、斜面の上流側端部近傍、即ち後端部近傍に特別案内テーブル１２１ａが例えばその他の部分よりも一段高い段差状に形成されると共に、その特別案内テーブル１２１ａよりも一段低いその他の部分が通常案内テーブル１２１ｂとなっている。
【００４１】
また、図５〜図７に示すように、演出台１２３とその前側の下部カバー５７との間の隙間は、ステージ板１２１上を転がった遊技球が落下する遊技球落下部１２２となっており、この遊技球落下部１２２の一部が特別領域１２２ａ、それ以外が通常領域１２２ｂとなっている。特別領域１２２ａは、例えば遊技球１個分の通過孔が設けられたゲート状で、特別案内テーブル１２１ａの下流側に対応して例えば前ケース体１２８の前壁１２８ａから前向きに突設されている。なお、特別領域１２２ａには、遊技球の通過を検出する特別検出スイッチ１３０が設けられている。
【００４２】
更に、遊技球落下部１２２内には、特別領域１２２ａよりも低い位置に落下球流入口１３１が設けられている。この落下球流入口１３１は、例えば前ケース体１２８の前壁１２８ａに形成された後ろ向きの凹入部１３２内に設けられており、特別領域１２２ａを通過した遊技球を含め遊技球落下部１２２内に落下した全ての遊技球は、例えば下部カバー５７の背面側に一体に設けられた集球案内部１３３（図３，図１０等）に案内されてこの落下球流入口１３１に流入し、遊技盤６の裏側に案内されるようになっている。なお、例えば落下球流入口１３１の下流側には遊技球の通過を検出する通常検出スイッチ１３４が設けられている。
【００４３】
誘導手段１２４は、図８，図１２，図１５等に示すように、磁石１４１を備えた誘導部材１４２と、この誘導部材１４２を、第１案内通路５５の流出口５５ｂ（誘導開始位置）から特別案内テーブル１２１ａ上の所定位置（誘導目標位置）まで遊技球を誘導可能な誘導状態と誘導不可能な非誘導状態とに切り換える誘導部材駆動手段１４３とを備えている。なお、本実施形態では、誘導部材駆動手段１４３は、可動手段１２６を介して誘導手段１２４を間接的に駆動するようになっている。
【００４４】
誘導部材駆動手段１４３は、図１３に示すように、駆動モータ１４４と、この駆動モータ１４４により回転駆動されるカム１４５とを備えており、共に演出台１２３内に配置され、モータ装着ケース１４６を介して例えば後ケース体１２９に着脱自在に支持されている。モータ装着ケース１４６は、後ケース体１２９の後壁１２９ａの前側に平行に配置されたベース板１４７と、このベース板１４７の外縁側から前向きに延設された周壁１４８とを一体に備え、後ケース体１２９の後壁１２９ａに着脱自在に固定されている。
【００４５】
駆動モータ１４４は、その駆動軸をベース板１４７から後ろ向きに突出させた状態でベース板１４７の前側に着脱自在に装着されている。駆動軸の先端側には駆動ギヤ１４９が固定されている。カム１４５は、外周側に駆動ギヤ１４９と噛合する被駆動ギヤ１５０を有する円板状で、その中心軸１４９ａを前後方向に向けた状態でベース板１４７の前側に回転自在に支持されており、その背面側の外縁部近傍にはカムローラ１５１が前後方向の軸廻りに回転自在に装着されている。
【００４６】
なお、後ケース体１２９の後壁１２９ａ及びその後側の演出手段装着部９３の後壁９３ａには、カムローラ１５１の回転軌道に対応する円形の開口部１５２，１５３が形成されており、カムローラ１５１はこの開口部１５２，１５３を介して演出手段装着部９３の後側に突出している。また、例えばベース板１４７には、カム１４５の周上の所定位置を検出するフォトセンサ（図示省略）が設けられており、駆動モータ１４４はこのフォトセンサからの検出信号に基づいて駆動制御されるようになっている。
【００４７】
可動手段１２６は、例えば自動車を模したもので、図８，図１２，図１４等に示すように、カバー枠４２の演出手段装着部９３の後側に配置され且つ誘導部材駆動手段１４３の駆動により上下方向に移動する第１可動部１６１と、この第１可動部１６１に上下方向移動可能に装着される第２可動部１６２と、第１可動部１６１の上下動と第２可動部１６２の上下動とを連動させる連動手段１６３とを備えている。
【００４８】
第１可動部１６１は、演出手段装着部９３の後壁９３ａに沿って配置される前面板１６４と、この前面板１６４の上縁側から後ろ向きに延設された上面板１６５と、前面板１６４の左右両縁側から後ろ向きに延設された側面板１６６と、例えば側面板１６６から左右方向に張り出す一対の固定板１６７とを一体に備え、前後方向の連結軸１６８によりこの固定板１６７と演出手段装着部９３の前側に配置された誘導部材１４２とが一体に連結されており、その上端側に例えば自動車本体（キャビンを除く部分）を表す装飾が施されている。
【００４９】
左右の側面板１６６は、前面板１６４の下縁部１６４ａよりも下側に突設されており、その下部側に夫々固定板１６７が設けられている。各固定板１６７は、演出手段装着部９３の後壁９３ａと平行な縦長状で、その上下方向の複数箇所、例えば二箇所に連結軸１６８が配置されている。なお、演出手段装着部９３の後壁９３ａには、左右一対のガイド孔１６９が上下方向に設けられており、連結軸１６８はこのガイド孔１６９を前後に貫通して後側の第１可動部１６１と前側の誘導部材１４２とを連結している。即ち、第１可動部１６１と誘導部材１４２とは、演出手段装着部９３の後壁９３ａをガイド孔１６９を介して前後に挟み込むことにより、上下方向移動可能な状態で演出手段装着部９３に装着されている。
【００５０】
また、第１可動部１６１は、カム１４５のカムローラ１５１により下側から支持されており、カム１４５の回転によるカムローラ１５１の移動に伴って昇降するようになっている。カムローラ１５１が当接する前面板１６４の下縁部１６４ａには、例えばその左右方向一端側に上向きの切り欠き部１７０が設けられており、カムローラ１５１がこの切り欠き部１７０に入ると、第１可動部１６１が一気に降下するようになっている。また、第１可動部１６１の後側には、第２可動部１６２を保持・案内するための保持案内板１６１ａが着脱自在に装着されている。
【００５１】
第２可動部１６２は、第１可動部１６１の前面板１６４と平行な前面板１７１と、この前面板１７１の周縁部から後ろ向きに延設された周壁板１７２とを一体に備え、第１可動部１６１の後側に上下方向相対移動可能に収容されており、第１可動部１６１に対して相対的に上向きに移動したとき、第１可動部１６１側の上面板１６５に形成された切欠状の嵌合部１７３に下側から嵌合して、例えば自動車のキャビンを表す装飾が施された上端側が上側に突出する（図１７）ようになっている。
【００５２】
なお、第２可動部１６２の前面板１７１には、左右一対のガイド孔１７４が上下方向に設けられ、このガイド孔１７４に、第１可動部１６１側の保持案内板１６１ａの後側に突設された連結軸１７５が前側から貫通し、更にその連結軸１７５の後端側に、前面板１７１の背面側に沿って配置された押さえ板１７６が固定されている。即ち、第２可動部１６２は、その前面板１７１がガイド孔１７４を介して第１可動部１６１側の保持案内板１６１ａと押さえ板１７６とで挟み込まれることにより、上下方向相対移動可能な状態で第１可動部１６１側に装着されている。
【００５３】
連動手段１６３は、図４，図１２，図１４等に示すように、第１可動部１６１側に設けられたピニオンギヤ１７７と、演出手段装着部９３側に設けられた第１ラックギヤ１７８と、第２可動部１６２側に設けられた第２ラックギヤ１７９とで構成されている。ピニオンギヤ１７７は、例えば第１可動部１６１側の左右の固定板１６７の背面側に、前後方向の回転軸１７７ａ廻りに回転自在に装着されている。
【００５４】
第２ラックギヤ１７９は、第２可動部１６２の左右両縁側に沿って外向きに設けられ、夫々左右のピニオンギヤ１７７が外側から噛合している。第１ラックギヤ１７８は、演出手段装着部９３の後壁９３ａの背面側で且つピニオンギヤ１７７に対して第２ラックギヤ１７９と反対側に上下方向に配置され、ピニオンギヤ１７７がその内側から噛合している。これにより、誘導部材駆動手段１４３の駆動により第１可動部１６１が昇降すると、この第１可動部１６１側のピニオンギヤ１７７は第１ラックギヤ１７８に対する相対移動によって回転し、更にそのピニオンギヤ１７７の回転によって第２可動部１６２側の第２ラックギヤ１７９が昇降する。
【００５５】
このように、連動手段１６３により、第２可動部１６２は、第１可動部１６１の昇降に伴って昇降し、その第２可動部１６２の昇降距離は第１可動部１６１の二倍となる。従って、例えば第１可動部１６１がその最高位置まで上昇したとき、第２可動部１６２はその上端側を第１可動部１６１の上側に突出させて正常な自動車の形状を示し（図４，図１７等）、例えば第１可動部１６１が最低位置まで降下したとき、第２可動部１６２はその上端部が第１可動部１６１内に待避して例えばキャビンが潰れた自動車の形状に変化する  （図１８等）。
【００５６】
誘導部材１４２は、図８，図１２，図１５等に示すように、ステージ板１２１の後縁側に沿って演出手段装着部９３側の後壁９３ａの前側に配置される磁石保持板１８１と、この磁石保持板１８１の左右両端側から下向きに延設された連結支持部１８２と、磁石保持板１８１に装着された磁石１４１とを備え、例えば連結支持部１８２から後ろ向きに突設された連結軸１６８により可動手段１２６の第１可動部１６１に一体に連結され、誘導部材駆動手段１４３の駆動により可動手段１２６と共に昇降するようになっている。
【００５７】
磁石保持板１８１は、演出台１２３の背面側に沿って略鉛直に配置され、左右方向に長い正面視略矩形状に形成されており、例えばその前面側の縦壁面１８１ａに設けられた凹入状の磁石装着部１８３内に磁石１４１が装着されている。磁石１４１は細長い棒状で、その前面側（以下、磁石面１４１ａという）が縦壁面１８１ａと略面一となるように磁石装着部１８３内に嵌め込まれており、第１案内通路５５の流出口５５ｂ側の端部（左端部）よりも特別案内テーブル１２１ａ側の端部（右端部）が低い緩やかな傾斜状に配置されている。そして、誘導部材１４２が最低位置まで降下したときには磁石面１４１ａの略全体がステージ板１２１の下側に待避し（非誘導状態，図１８）、誘導部材１４２が最高位置まで上昇したときには、磁石面１４１ａの略全体がステージ板１２１よりも上側に露出して、磁石面１４１ａの一端側（左端側）が第１案内通路５５の流出口５５ｂの後側、他端側（右端側）が特別案内テーブル１２１ａの後側に夫々配置されてその磁石面１４１ａにより両者間が接続される（誘導状態，図１７）ようになっている。
【００５８】
また、磁石１４１は、図１５に示すように、磁石面１４１ａの長手方向に対する上縁側がＮ極（又はＳ極）、下縁側がＳ極（又はＮ極）となるように磁極が配置されている。これにより、この磁石１４１には、磁石面１４１ａに吸着した遊技球を、両極の中間部、即ち磁石面１４１ａの長手方向に沿ってその幅方向（上下方向）の中央線ＣＬ上へと誘導する性質がある。また、磁石１４１は一端側が他端側よりも低い傾斜状に配置されているため、磁石面１４１ａに吸着した遊技球は、その中央線ＣＬに沿ってその傾斜方向に誘導される。
【００５９】
従って、誘導部材１４２が誘導状態にあるときには、第１案内通路５５により流出口５５ｂまで案内されてきた遊技球は磁石面１４１ａの一端側に吸着し、その磁石面１４１ａの中央線ＣＬに沿って他端側の特別案内テーブル１２１ａ上まで誘導される。誘導部材１４２が非誘導状態にあるときには、磁石面１４１ａはステージ板１２１の下側に待避しているため、流出口５５ｂから流出した遊技球は特別案内テーブル１２１ａまで誘導されることなく通常案内テーブル１２１ｂ上に排出される。
【００６０】
誘引手段１２５は、図１３，図１６〜図１８に示すように、磁石１９１を備えた誘引部材１９２と、この誘引部材１９２を、特別案内テーブル１２１ａ上の遊技球を磁力により特別領域１２２ａの上流側に対応する特別案内位置Ａに誘引する誘引状態と誘引しない非誘引状態とに切り換える誘引部材駆動手段１９３とを備えている。誘引部材１９２は、特別案内位置Ａに対応して特別案内テーブル１２１ａの下側に配置され、誘引部材駆動手段１９３の駆動により昇降可能となっており、磁石保持ケース１９４と、この磁石保持ケース１９４の下側に一体に形成される昇降案内部１９５と、磁石保持ケース１９４に装着された磁石１９１とを備えている。なお、特別案内位置Ａは、特別案内テーブル１２１ａ上で且つ特別領域１２２ａの上流側に対応する位置（図１６）である。
【００６１】
磁石保持ケース１９４は、上面側が開放し且つ特別案内テーブル１２１ａの傾斜方向に直交する方向（ここでは左右方向）に長い矩形箱形で、上側から棒状の磁石１９１が嵌め込まれている。磁石１９１は、その長手方向（左右方向）の両端側がＮ極又はＳ極となるように磁極が配置されており（図１６）、磁石保持ケース１９４は、磁石１９１の長手方向中央部と特別案内位置Ａとが上下に一致するように配置されている。これにより、磁石１９１が特別案内テーブル１２１ａの下側近傍にあるときには、特別案内テーブル１２１ａ上の遊技球は磁石１９１の両極の中間部、即ち特別案内位置Ａに誘引される。
【００６２】
昇降案内部１９５は、磁石保持ケース１９４の長手方向に沿ってその下側に延設された略板状で、例えばその背面側に、後ケース体１２９の後壁１２９ａ側に設けられた上下方向の案内レール１９６に沿って摺動可能な被案内部１９７が設けられ、また例えばその前面側には、ラックギヤ１９８が上下方向に配置されている。被案内部１９７は例えば上下方向の突条により構成されており、例えば左右一対の突条よりなる案内レール１９６間に前側から摺動自在に嵌合している。
【００６３】
誘引部材駆動手段１９３は、磁石１９１が特別案内テーブル１２１ａの下側に近接する誘引状態と、磁石１９１が特別案内テーブル１２１ａの下側に離間する非誘引状態との間で誘引部材１９２を昇降駆動するもので、例えばステッピングモータにより構成され、その駆動軸１９３ａを左右方向に向けた状態で演出台１２３内に配置され、モータ装着ケース１９９を介して例えば後ケース体１２９に着脱自在に支持されている。駆動軸１９３ａの先端側には駆動ギヤ２００が固定されており、この駆動ギヤ２００がラックギヤ１９８に前側から噛合している。また、例えばモータ装着ケース１９９には、昇降案内部１９５上の所定位置を検出するフォトセンサ（図示省略）が設けられており、誘引部材駆動手段１９３はこのフォトセンサからの検出信号に基づいて駆動制御されるようになっている。
【００６４】
そして、誘引部材駆動手段１９３の駆動により誘引部材１９２が最高位置まで上昇したときには磁石１９１が特別案内テーブル１２１ａの下側に近接し（誘引状態，図１７）、誘引部材１９２が最低位置まで降下したときには磁石１９１は特別案内テーブル１２１ａ上にその磁力の影響が及ばないか又は及んだとしてもその影響が極めて小さい（非誘引状態，図１８）ようになっている。
【００６５】
これにより、誘引部材１９２が誘引状態にあるときに、第１案内通路５５側から誘導手段１２４を経て、或いは第２案内通路５６により特別案内テーブル１２１ａ上に案内された遊技球は、磁石１９１に引き寄せられてその両極間の中央、即ち長手方向中央部に対応する特別案内位置Ａ上に保持され、その後、誘引部材１９２が非誘引状態となったとき、その特別案内位置Ａから真っ直ぐにステージ板１２１の斜面に沿って流下し、高い確率で特別領域１２２ａ内に落下する。一方、誘引部材１９２が非誘引状態にあるときに特別案内テーブル１２１ａ上に案内された遊技球は、磁石１９１の影響を受けないため、任意のコースを辿ってステージ板１２１の斜面を流下し、特別領域１２２ａ又は通常領域１２２ｂに落下する。
【００６６】
以上のようなセンターケース２７の動作を簡単に説明する。遊技動作中は、例えば揺動駆動手段１０１の駆動により、揺動振り分け部材６４は左下がり姿勢と右下がり姿勢との間で揺動動作を所定のパターンで繰り返すと共に、その揺動動作と連動して、恐竜を模した可動手段１０２の頭部（第１揺動部材１１３）と前足（第２揺動部材１１５）とが動作して、恐竜が揺動振り分け部材６４を揺らしているような演出が行われる（図１９，図２０）。
【００６７】
そして、所定条件の成立により開閉爪６７が外向きに開放し、その開放中に遊技球が入球開口部６６から入球口３４に入球すると、その遊技球は入球検出スイッチ３４ａに検出された後に揺動振り分け部材６４上に落下する。そして、その遊技球は、そのときの揺動振り分け部材６４の状態に応じて、例えば揺動振り分け部材６４が右下がり姿勢であれば第２案内通路５６側に（図１９）、左下がり姿勢であれば第１案内通路５５側に（図２０）、夫々振り分けられる。
【００６８】
また、例えば遊技球が入球検出スイッチ３４ａを通過すると、誘導部材駆動手段１４３が作動して、磁石面１４１ａの略全体がステージ板１２１の下側に待避する非誘導状態  （図２１）と、磁石面１４１ａの略全体がステージ板１２１よりも上側に露出する誘導状態（図２２）との間で誘導部材１４２が所定のパターンで昇降動作を繰り返すと共に、その誘導部材１４２の昇降動作と連動して可動手段１２６も昇降する。このとき、自動車を模した可動手段１２６のうち、車体を表す第１可動部１６１は誘導部材１４２と一体に昇降し、キャビンを表す第２可動部１６２は、連動手段１６３を介してその昇降距離が第１可動部１６１及び誘導部材１４２の二倍となるように従動する。
【００６９】
これにより、誘導部材１４２が誘導状態（図２２）のときには、第２可動部１６２はその上端側を第１可動部１６１の上側に突出させて可動手段１２６は正常な自動車の形状を示し、その状態から誘導部材１４２が非誘導状態（図２１）まで降下すると、第２可動部１６２はその上端部が第１可動部１６１内に待避して可動手段１２６は例えばキャビンが潰れた自動車の形状に変化する。なお、この可動手段１２６の昇降動作と同期するように、恐竜を表す可動手段１０２の尻尾や後ろ脚に対応する動画を画像表示手段３３に表示すれば、例えば恐竜が自動車を押し潰すような演出を行うことができる。
【００７０】
また、例えば遊技球が入球検出スイッチ３４ａを通過すると、誘引部材駆動手段１９３が作動して、磁石１９１が特別案内テーブル１２１ａの下側に近接する誘引状態（図２２，図２４）と、磁石１９１が特別案内テーブル１２１ａの下側に離間する非誘引状態（図２３，図２５）との間で誘引部材１９２が所定のパターンで昇降動作を繰り返す。
【００７１】
揺動振り分け部材６４により第２案内通路５６側に振り分けられた遊技球は、図１９に示すように、流入口５６ａから第２案内通路５６内に流入し、縦通路部８６、横通路部８７を経て流出口５６ｂからその下側の特別案内テーブル１２１ａ上に落下する。
【００７２】
また、揺動振り分け部材６４により第１案内通路５５側に振り分けられた遊技球は、図２０に示すように、流入口５５ａから第１案内通路５５内に流入し、縦通路部８１、横通路部８２を経て流出口５５ｂまで案内される。そして、その時点の誘導部材１４２が非誘導状態で、磁石面１４１ａがステージ板１２１の下側に待避している場合には、図２１に示すように、流出口５５ｂから右向きに流出した遊技球はそのまま通常案内テーブル１２１ｂ上を前向きに流下し、殆どの場合、通常領域１２２ｂ内に落下して落下球流入口１３１に流入する。
【００７３】
一方、遊技球が流出口５５ｂまで案内されたときに、誘導部材１４２が誘導状態で、磁石面１４１ａがステージ板１２１の上側に露出している場合には、図２２に示すように、流出口５５ｂから右向きに流出した遊技球は磁石面１４１ａに吸着し、そのまま磁石面１４１ａの中央線ＣＬに沿うように傾斜方向に移動して、他端側の特別案内テーブル１２１ａ上まで誘導される。なお、遊技球が磁石面１４１ａに吸着している状態で誘導部材１４２が降下した場合には、その遊技球は通常案内テーブル１２１ｂ上で磁石面１４１ａから引き離され、そのまま通常案内テーブル１２１ｂ上を前向きに流下し、殆どの場合、通常領域１２２ｂ内に落下して落下球流入口１３１に流入する。
【００７４】
第２案内通路５６により、或いは第１案内通路５５と誘導部材１４２とにより特別案内テーブル１２１ａ上に案内された遊技球は、特別案内テーブル１２１ａ上を前向きに流下し、特別領域１２２ａ又はその両側の通常領域１２２ｂの何れかに落下し、落下球流入口１３１に流入する。このとき、誘引部材１９２が誘引状態で、磁石１９１が特別案内テーブル１２１ａの下側に近接している場合には、図２２，図２４に示すように、特別案内テーブル１２１ａを前向きに流下する遊技球は、磁石１９１の長手方向中間部に誘引されて特別案内位置Ａ上又はその近くを通過するため、その特別案内位置Ａの下流側に配置されている特別領域１２２ａに入球する可能性が高くなる。一方、誘引部材１９２が非誘引状態で、磁石１９１が特別案内テーブル１２１ａの下側に離間している場合には、図２３，図２５に示すように、特別案内テーブル１２１ａを前向きに流下する遊技球は、磁石１９１に誘引されないため、誘引部材１９２が誘引状態にある場合に比べて特別領域１２２ａに入球する可能性は低くなる。
【００７５】
以上説明したように、本実施形態のパチンコ機は、誘導部材１４２が、第１案内通路５５の流出口５５ｂと特別案内テーブル１２１ａ上の所定位置との間に配置される縦壁面１８１ａと、その縦壁面１８１ａに略面一状に設けられ且つ流出口５５ｂ側よりも所定位置側が低い傾斜状に配置された細長状の磁石面１４１ａとを備え、磁石面１４１ａは、その長手方向に対する上縁側がＮ極又はＳ極、下縁側がＳ極又はＮ極となるように磁極が配置されており、誘導状態のとき、磁石面１４１ａが流出口５５ｂ又はその近傍と所定位置又はその近傍とを接続するように構成されているため、磁石の動きやそれによる遊技球の動作を遊技者が容易に認識することができ、磁石を用いた演出の面白さを十分に引き出すことが可能となる。
【００７６】
また、流出口５５ｂと特別案内テーブル１２１ａ上の所定位置との間には、特別領域１２２ａ以外の通常領域１２２ｂ側に遊技球を案内する通常案内テーブル１２１ｂが配置されており、誘導部材１４２は、縦壁面１８１ａが通常案内テーブル１２１ｂの上流側縁部に沿うように配置されると共に、非誘導状態のときには下向きに移動して磁石面１４１ａが通常案内テーブル１２１ｂの下側に待避するように構成されているため、誘導部材１４２の通常案内テーブル１２１ｂに対する位置関係が変化することによって遊技球の誘導状態が変化し、遊技者にわかりやすい演出が可能となる。
【００７７】
特別案内テーブル１２１ａは特別領域１２２ａ側が低い傾斜状に形成され、特別案内テーブル１２１ａ上に流下した遊技球を、磁力により特別領域１２２ａの上流側に対応する特別案内位置Ａに誘引する誘引状態と誘引しない非誘引状態とに切り換え可能な誘引手段１２５を備えており、また誘引手段１２５は、特別案内位置Ａに対応して特別案内テーブル１２１ａの下側に配置され且つ特別案内テーブル１２１ａの傾斜方向に対してその左右両側がＮ極及びＳ極となるように磁極が配置された磁石１９１を備え、誘引状態のときに磁石１９１が特別案内テーブル１２１ａの下側に接近し、非誘引状態の時に磁石１９１が特別案内テーブル１２１ａの下方に離間するように構成されているため、斜面を転がる遊技球の進路に非接触で変化を与えることができ、演出効果がより向上する利点がある。
【００７８】
しかも、入球口３４に入球した遊技球を流出口５５ｂに案内する第１案内通路５５と、入球口３４に入球した遊技球を特別案内テーブル１２１ａに案内する第２案内通路５６と、入球口３４に入球した遊技球を第１案内通路５５側と第２案内通路５６側とに振り分ける揺動振り分け部材６４とを備えているため、遊技球を誘導部材１４２を経て特別案内テーブル１２１ａ上に案内する場合と、誘導部材１４２を経ることなく特別案内テーブル１２１ａ上に案内する場合とに切り替えることができ、演出内容をより多様化できる利点がある。
【００７９】
以上、本発明の実施形態について詳述したが、本発明はこれらの実施形態に限定されるものではなく、本発明の趣旨を逸脱しない範囲で種々の変更が可能である。例えば、誘導部材１４２の磁石面１４１ａの下流側近傍に特別領域１２２ａを配置し、誘導状態の誘導部材１４２により誘導された遊技球が略確実に特別領域１２２ａに入球するように構成してもよい。
【００８０】
誘導部材１４２の磁石面１４１ａは、必ずしも傾斜状に配置する必要はなく、例えば水平に配置して、遊技球が流出口５５ｂ等から排出される際の慣性力により磁石面１４１ａに吸着されたまま水平方向に移動するようにしてもよい。また、誘導開始位置側よりも誘導目標位置側が高い傾斜状に配置し、遊技球に十分な慣性力があるときにのみ誘導目標位置まで到達するように構成してもよい。
【００８１】
誘導部材１４２の誘導状態と非誘導状態との切り換えは、誘導部材１４２とステージ板１２１とを相対的に移動させることにより行えばよく、例えば誘導部材１４２を固定してステージ板１２１側を昇降させるようにしてもよい。また、誘導部材１４２の縦壁面１８１ａは必ずしも鉛直である必要はなく、若干斜めになっていてもよい。
【００８２】
誘引部材１９２と連動して動作する可動演出手段を、例えばカバー枠４２の後側に遊技者から視認可能に設けてもよい。これにより、誘引部材１９２が見えなくても、遊技者は可動演出手段の動作により誘引部材１９２の状態を認識することができる。
【００８３】
また、実施形態では本発明をパチンコ機に適用した例を示したが、アレンジボール機等の各種弾球遊技機において同様に実施可能であることは言うまでもない。
【図面の簡単な説明】
【００８４】
【図１】本発明の一実施形態を示すパチンコ機の全体斜視図である。
【図２】本発明の一実施形態を示すパチンコ機の内枠の正面図である。
【図３】センターケースの正面図である。
【図４】センターケースの背面断面図である。
【図５】図３におけるＡ−Ａ断面図である。
【図６】図３におけるＢ−Ｂ断面図である。
【図７】図３におけるＣ−Ｃ断面図である。
【図８】センターケースの分解斜視図である。
【図９】センターケースの前面枠の分解斜視図である。
【図１０】センターケースの前面枠の分解斜視図である。
【図１１】センターケースの後カバー及び上部誘導演出手段の分解斜視図である。
【図１２】センターケースのカバー枠及び下部誘導演出手段の分解斜視図である。
【図１３】下部誘導演出手段の演出台の分解斜視図である。
【図１４】下部誘導演出手段の可動手段の分解斜視図である。
【図１５】誘導部材の正面図である。
【図１６】誘引部材と特別案内位置及び特別領域との位置関係を示す説明図である。
【図１７】下部誘導演出手段の誘導状態での斜視図である。
【図１８】下部誘導演出手段の非誘導状態での斜視図である。
【図１９】揺動振り分け部材による第２案内通路側への振り分け状態を示す説明図である。
【図２０】揺動振り分け部材による第１案内通路側への振り分け状態を示す説明図である。
【図２１】誘導部材が非誘導状態のときの遊技球の誘導例を示す説明図で、（ａ）が正面図、（ｂ）が平面図である。
【図２２】誘導部材が誘導状態で誘引部材が誘引状態のときの遊技球の誘導例を示す説明図で、（ａ）が正面図、（ｂ）が平面図である。
【図２３】誘導部材が誘導状態で誘引部材が非誘引状態のときの遊技球の誘導例を示す説明図で、（ａ）が正面図、（ｂ）が平面図である。
【図２４】誘引部材が誘引状態のときの、第２案内通路により案内された遊技球の誘導例を示す説明図で、（ａ）が正面図、（ｂ）が平面図である。
【図２５】誘引部材が非誘引状態のときの、第２案内通路により案内された遊技球の誘導例を示す説明図で、（ａ）が正面図、（ｂ）が平面図である。
【符号の説明】
【００８５】
３４    入球口
５５    第１案内通路
５６    第２案内通路
６４    揺動振り分け部材（振り分け手段）
１２１ａ  特別案内テーブル
１２１ｂ  通常案内テーブル
１２２ａ  特別領域
１２２ｂ  通常領域
１２５    誘引手段
１４１ａ  磁石面
１４２    誘導部材
１８１ａ  縦壁面
１９１    磁石
Ａ        特別案内位置
【図１】
2009066352.tif 000003
【図２】
2009066352.tif 000004
【図３】
2009066352.tif 000005
【図４】
2009066352.tif 000006
【図５】
2009066352.tif 000007
【図６】
2009066352.tif 000008
【図７】
2009066352.tif 000009
【図８】
2009066352.tif 000010
【図９】
2009066352.tif 000011
【図１０】
2009066352.tif 000012
【図１１】
2009066352.tif 000013
【図１２】
2009066352.tif 000014
【図１３】
2009066352.tif 000015
【図１４】
2009066352.tif 000016
【図１５】
2009066352.tif 000017
【図１６】
2009066352.tif 000018
【図１７】
2009066352.tif 000019
【図１８】
2009066352.tif 000020
【図１９】
2009066352.tif 000021
【図２０】
2009066352.tif 000022
【図２１】
2009066352.tif 000023
【図２２】
2009066352.tif 000024
【図２３】
2009066352.tif 000025
【図２４】
2009066352.tif 000026
【図２５】
2009066352.tif 000027